(57)【特許請求の範囲】
【請求項１】
最高気温１５℃以上の日の気温刺激を積算した値が６０日℃以上となる日をイネドロオイムシ越冬後成虫の水田圃場での出現予測日とし、当該出現予測日とし、当該出現予測日を利用してイネドロオイムシ卵寄生蜂の増殖を行い、当該卵寄生蜂を利用する生物的防除法。
【請求項２】
化学的防除剤による額縁処理をあわせて行うことを特徴とする請求項１に記載の生物的防除法
【請求項３】
薬剤抵抗性の発現の進行程度を明らかにすることで、感受性個体群の導入の時期と継続期間を判断することを特徴とする請求項１，及び請求項２に記載の生物的防除法。
【発明の詳細な説明】
【技術分野】
【０００１】    水稲の薬剤抵抗対策としてはブロックローテーションが一般的であるが、近年水田圃場周辺での薬剤変更ショックでミツバチ個体群の激減が起り、賠償・補償例が出ている。また水田初期主要害虫３種のうち薬剤抵抗性が発現しやすいイネドロオイムシのＲＲ個体群出現だけで殺虫剤の製造中止、販売中止となっている。効果のない化学的防除剤はなく、浸透移行型の水稲苗移植時施用箱処理剤は２ヶ月程度の残効が保証されている。しかし、稲体中の殺虫剤成分の含有割合は苗の生長に伴い移植後から幾何級数的に減少し、残効は２ヶ月程度である。イネドロオイムシでは亜致死濃度下の時期に６世代以上淘汰選択された頃には薬剤抵抗性個体（ＲＲ）が出現することが予想される。近年、薬剤処理連用下の水田で春先にイネドロオイムシ成虫とその食痕そしてその産卵が認められるものの、被害の主体となる幼虫の被害が認められない現象をたまたま聞くようになった。薬剤抵抗性の兆しとなる未孵化卵（初期ＳＲ）出現の可能性が高い。    浸透性殺虫剤の箱処理は水稲苗移植と殺虫剤処理が同時にでき、効率的で卓効があり植物全体を長期に亘って保護するため、広範囲で使用されてきた。しかし、１化性で単食性のイネドロオイムシは高地・寒冷地の水田では有効積算温度（発育と飛翔筋活性化）に応じて飛翔侵入による出現開始が１ヶ月以上遅れるため、産卵期の後半には亜致死濃度下での培養的摂食となり、薬剤抵抗性害虫ＲＲが出現し易い。そのＲＲは越冬地で圧倒的多数の感受性個体群と混在することになり、越冬後ＲＲ♀とＷｉｌｄ  ｔｙｐｅ  ＳＳ♂の交尾で未孵化卵（ＳＲ個体群）が出現することになる。これは劣性遺伝子Ｒｅｓｉｓｔａｎｔと優性遺伝子Ｓｅｎｓｉｔｉｖｅが対立遺伝子となった薬剤抵抗性発現の兆しである。Ｓｅｎｓｉｔｉｖｅな優性遺伝子をホモＳＳに持ったＷｉｌｄ  ｔｙｐｅがＲＲに比して遙かに多い場合は優性遺伝の法則により薬剤の更なる継続使用でも、かなりの年数ＳＲ個体は死亡する。しかし、効力の有無という量的形質対立遺伝子であるＲヘテロは浸透性殺虫剤の連用下で、ＳＳ個体群の縮小とともに、代を重ねる毎に劣性遺伝子の選択・顕在化が進み、そのＲ卵は孵化するようになり、成虫Ｒ同士の交尾の機会も増えてくる。分離の法則（ＲＲ＋２ＳＲ＋ＳＳ）により、春先の産卵初期にも薬剤抵抗性個体ＲＲも出現するようになり、卵寄生蜂による防除の効果は著しく低くなる。図２に示す通り（ＩＲＡＣ１４を十数年）、孵化幼虫の出現と共に未孵化卵の胚子発育は様々な発育段階で停止する。    これに対してＲ初期未孵化卵では初期発育段階の胚盤葉期で発育停止するため、図１に示す通り（ＩＲＡＣ−２Ｂを６年）、産卵期間中の全卵が卵寄生蜂の好適な寄生対象である初期発育段階であり、卵寄生蜂ドロムシムクゲタマゴバチの累積寄生はイネドロオイムシ１００卵当たり９８頭となっている（多重寄生も含む）。  そして、当然このＲ初期段階ではイネドロオイムシ孵化幼虫は全く認められない。現在ＩＲＡＣ−７Ａに属する殺虫剤となっている薬剤ＪＨＡで同様の現象が交尾後蚕蛾成虫腹部への濃度を変えた薬剤注入例で報告されており、比較的濃い濃度では卵は胚子発生の初期段階で停止し（胚盤葉期等）、より薄い濃度では様々な発���段階で停止することが知られている。  Ｒ個体群からａｌｍｏｓｔ  ＲＲ個体群に顕在化する過程での薬剤の分解能力の差が卵形成に影響を与えたものと考えられる。より早く劣性遺伝の薬剤抵抗性の兆し（初期ＳＲ：胚盤葉期停止未孵化卵）を確認し、卵寄生蜂の高度寄生に誘導する。
【背景技術】
【０００２】    殺虫剤の導入当初の圃場では優性遺伝子をホモに持つ薬剤感受性Ｗｉｌｄ  ｔｙｐｅ（ＳＳ）の害虫がすべてであるが、同一の化学的防除剤の連用により水田圃場とともに近隣の越冬地でも薬剤感受性個体群Ｗｉｌｄ  ｔｙｐｅ（ＳＳ）が急減する。他方、寒地では一化性で単食性のイネドロオイムシの産卵終期に亜致死濃度状態となるため薬剤抵抗性遺伝子ホモ個体（ＲＲ）が圃場に出現する。翌春には越冬地を同じくする薬剤感受性遺伝子ホモ個体♂（ＳＳ）と♀（ＲＲ）の掛け合わせにより未孵化卵（ＳＲ）が生じる。    優性遺伝の法則では薬剤感受性優性下でのヘテロ遺伝子（ＳＲ）は淘汰圧により死亡する（優性遺伝時代：ＲＲ×ＳＳ→４ＳＲ）。薬剤抵抗性遺伝子ホモ個体（ＲＲ）や薬剤感受性遺伝子ホモ個体（ＳＳ）は世代を全うするので、これら成虫の産下する未孵化卵は遺伝子をヘテロに持った中間段階の薬剤抵抗性を示す未孵化卵（ＳＲ）と考えられる。現状の主な薬剤抵抗性管理技術は化学的防除剤のＩＲＡＣ（殺虫剤抵抗性委員会）による殺虫剤の分類の殺虫剤作用機作（ｍｏｄｅ  ｏｆ  ａｃｔｉｏｎ）により、地域毎、３年毎に異なる系統の他薬剤を選択するブロックローテーションである。しかし、この方法では同一薬剤の使用中止により薬剤感受性個体群（ＳＳ）の自然回復を待つだけであり、その同じ薬剤に対する薬剤抵抗性遺伝子（ＲＲ）、（ＳＲ）の減少や薬剤感受性遺伝子（ＳＳ）の増加は望めない。一方、ミツバチにとってブロックローテーションは長年にわたる同一薬剤の連用で獲得した薬剤抵抗性を３年毎に薬剤変更ショックにより失うことになり、ミツバチの大量死が問題となる。地方では養蜂農家の廃業例も見受けられる。農村部で共存する有用昆虫利用農家にとってミツバチの薬剤抵抗性の獲得は絶対必要な形質である。害虫と有用昆虫のどちらにとっても同一薬剤の連用下において薬剤抵抗性の出現をブロックローテーション以外の方法で回避する必要がある。
【先行技術文献】
【０００３】
【非特許文献】
【非特許文献】・Ｓｖｅｔｌａｎａ  Ｋｏｎｔｓｅｄａｌｏｖ（２００８），Ｔｏｘｉｃｉｔｙ  ｏｆ  ｓｐｉｒｏｍｅｓｉｆｅｎ  ｔｏ  ｔｈｅ  ｄｅｖｅｌｏｐｍｅｎｔａｌ  ｓｔａｇｅｓ  ｏｆ  Ｂｅｍｉｓｉａ  ｔａｂａｃｉ  ｂｉｏｔｙｐｅ  Ｂ，Ｐｅｓｔ  Ｍａｎａｇ  Ｓｃｉ  Ｄｏｉ  １０．１００２／ｐｓ．１６３６，ｗｗｗ．ｉｎｔｅｒｓｃｉｅｎｃｅ．ｗｉｌｅｙ．ｃｏｍ／ｊｏｕｒｎａｌ／ｐｓ  ・Ｇ  Ｃｈｒｉｓｔｏｐｈｅｒ  Ｃｕｔｌｅｒ（２００５），Ａｃｕｔｅ  ａｎｄ  ｓｕｂｌｅａｔｈａｌ  ｔｏｘｉｃｉｔｙ  ｏｆ  ｎｏｖａｌｕｒｏｎ，ａ  ｎｏｖｅｌ  ｃｈｉｔｉｎ  ｓｙｎｔｈｓｉｓ  ｉｎｈｉｂｉｔｏｒ，ｔｏ  Ｌｅｐｔｉｎｏｔａｒｓａ  ｄｅｃｅｍｌｉｎｅａｔａ（Ｃｏｌｅｏｐｔｅｒａ：Ｃｈｒｙｓｏｍｅｌｉｄａｅ），Ｐｅｓｔ  Ｍａｎａｇ  Ｓｃｉ  ６１  Ｄｏｉ：１０．１００２／ｐｓ．１０９１：１０６０−１０６８  ・Ｆ．ｐｅｒｖｅｅｎ（２０１１），Ｅｆｆｅｃｔｓ  ｏｆ  ｓｕｂｌｅａｈｔａｌ  ｄｏｓｅｓ  ｏｆ  Ｃｈｌｏｒｆｌｕａｚｕｒｏｎ  ｏｎ  ｔｈｅ  ｏｖａｒｉａｎ  ｂｉｏｃｈｅｍｉｃａｌ  ｃｏｎｓｔｉｔｕｅｎｔｓ  ｏｆ  Ｓｐｏｄｏｐｔｅｒａ  ｌｉｔｕｒａ，Ａｆｒｉｃａｎ  Ｊｏｕｒｎａｌ  ｏｆ  Ｂｉｏｔｅｃｈｎｏｌｏｇｙ  Ｖｏｌ．１０（６２）１２  Ｏｃｔｏｂｅｒ，２０１１，ｐｐ．１３５９８−１３６０４  ・Ｒｕｉ−ｍｉｎ  ＺＨＡＮＧ（２０１３），Ｔｈｅ  Ｓｕｂｌｅｔｈａｌ  Ｅｆｆｅｃｔｓ  ｏｆ  Ｃｈｌｏｒａｎｔｒａｎｉｌｉｐｒｏｌｅ  ｏｎ  Ｈｅｌｉｃｏｖｅｒｐａ  ａｒｍｉｇｅｒａ（Ｌｅｐｉｄｏｐｔｅｒａ：Ｎｏｃｔｕｉｄａｅ），Ｖｏｌ．１２．ｉｓｓｕｅ  ３，Ｍａｒｃｈ  ２０１３，ｐ４５７−４６６  ・Ｌｅｆｅｂｖｒｅ  Ｍ，Ｂｏｓｔａｎｉａｎ  ＮＪ（２０１２），Ｌａｂｏｒａｔｏｒｙ−ｂａｓｅｄ  ｔｏｘｉｃｏｌｏｇｉｃａｌ  ａｓｓｅｓｓｍｅｎｔｓ  ｏｆ  ｎｅｗ  ｉｎｓｅｃｔｉｃｉｄｅｓ  ｏｎ  ｍｏｒｔａｌｉｔｙ  ａｎｄ  ｆｅｃｕｎｄｉｔｙ  ｏｆ  Ｎｅｏｓｅｉｕｌｕｓ  ｆａｌｌａｃｉｓ（Ａｃａｒｉ：Ｐｈｙｔｏｓｅｉｉｄａｅ），Ｊ  Ｅｃｏｎ  Ｅｎｔｏｍｏｌ．２０１２  Ｊｕｎ；１０５（３）：８６６−７１
【発明の概要】
図１に示す通り（ＩＲＡＣ−２Ｂを６年）、このＳＲ初期未孵化卵では産卵期間中の全卵が卵寄生蜂の好適な寄生対象となるため、卵寄生蜂ドロムシムクゲタマゴバチの累積寄生によりイネドロオイムシ１００卵当たり９８頭の卵寄生蜂が羽化し、イネドロオイムシ幼虫の孵化は認められない。この段階（ＳＲ初期）で、これまでより早く劣性遺伝の薬剤抵抗性の兆し（胚盤葉期で全卵死亡）を確認し、卵寄生蜂の高度寄生に誘導する。薬剤抵抗性がさらに進行し、図２に示す通り（ＩＲＡＣ１４を十数年）、孵化幼虫が出現（ＲＲ）し、未孵化卵の胚子発育は様々な発育段階で停止するＳＲ後期段階（分離世代：ＲＲ＋２ＳＲ＋ＳＳ）の出現を阻止する。    ａｂｓｔｒａｃｔ  Ｔｈｅ  ｒｅｓｉｓｔａｎｃｅ  ｈｏｍｏ  ＲＲ  ｐｏｐｕｌａｔｉｏｎ  ａｎｄ  ｔｈｅ  ｓｅｎｓｉｔｉｖｅ  ｈｏｍｅ  ＳＳ  ｐｏｐｕｌａｔｉｏｎ  ｗｏｕｌｄ  ｂｅ  ｍｉｘｅｄ  ｔｏｇｅｔｈｅｒ  ｉｎ  ｔｈｅ  ｏｖｅｒｗｉｎｔｅｒｅｄ  ｓｉｔｅ  ａｎｄ  ｔｈｅｎ  ＲＲ  ♀  ｗｉｌｌ  ｃｏｐｕｌａｔｅｄ  ｗｉｔｈ  ＳＳ♂  ｔｏ  ｌａｙ  ｄｏｗｎ  ａ  ｓｅｎｓｉｔｉｖｅ  ＆  ｒｅｓｉｓｔａｎｃｅ  ｈｅｔｅｒｏ  ＳＲ  ｅｇｇｓ．Ｔｈｉｓ  ｅｇｇ  ｃｏｎｔａｉｎｅｄ  ｙｏｌｋ  ａｔ  ａ  ｈｉｇｈ  ｒａｔｅ（ｔｈｅ  ｅｍｂｒｙｏ  ｓｔｏｐｐｅｄ  ｄｅｖｅｌｏｐｍｅｎｔａｌｌｙ  ｏｎ  ｂｌａｓｔｏｄｅｒｍ  ｓｔａｇｅ）  ｌｅａｄｓ  ｔｏ  ｔｈｅ  ｈｉｇｈ  ｐａｒａｓｉｔｉｓｍ  ｏｖｉｐｏｓｉｔｅｄ  ｂｙ  ｅｇｇ  ｐａｒａｓｉｔｏｌｄ（Ｆｉｇ．１：９８  ａｄｕｌｔ  ｏｆ  Ａｎａｐｈｅｓ  ｎｉｐｐｏｎｉｃｕｓ  ｐｅｒ  １００  ｅｇｇｓ  ｏｆ  Ｏ．ｏｒｙｚａｅ）ａｎｄ  ｍｏｒｅｏｖｅｒ  ｔｈｅ  ｈｕｇｅ  ｐｏｐｕｌａｔｉｏｎ  ｏｆ  Ａ．ｎｉｐｐｏｎｉｃｕｓ  ａｄｕｌｔ  ｅｍｅｒｇｅｄ  ｗｏｕｌｄ  ｐａｒａｓｉｔｉｚｅ  ｔｈｅ  ｅｇｇｓ（ｏｎ  ｅａｒｌｙ  ｅｍｂｒｙｏｎｉｃ  ｓｔａｇｅ），ｏｒｉｇｉｎａｔｅｄ  ｆｒｏｍ  ＲＲ  Ｏ．ｏｒｙｚａｅ  ｕｎｄｅｒ  ｔｈｅ  ｓｕｂ−ｌｅｔｈａｌ  ｃｏｎｃｅｎｔｒａｔｉｏｎ．
【発明が解決しようとする課題】
【０００４】  生物的防除は、害虫の発生時期と天敵の発生時期が合致せず、化学的防除剤のような１００％近い防除は難しい。自然界で卵寄生蜂の高度寄生例がない最も大きい原因は卵寄生蜂の寄生可能な発育段階が卵黄の豊富な胚子発生の初期段階にのみ限られることである。        高冷地や寒冷地では１化性で単食性のイネドロオイムシの出現は移植時・同時施用から１ヶ月以上遅れ、浸透性殺虫剤の連続使用は実験室内での亜致死濃度下でのＲＲの継代飼育と等しく、薬剤抵抗性の発達は急激に早まる。また、稲の生育が進んでからの成虫の出現は害虫として認識され難く、また１ｍｍ以下のそれらの卵を探すことが難しいため、亜致死濃度下で生じたＲＲ初発は見逃されがちであり、翌春移植後の産卵初期に未孵化卵（ＳＲ）を観察し、亜致死濃度下で出現したＲＲ個体群の存在を知ることになる。さらに、寒地での出現初期にイネドロオイムシＲＲ個体群が生じるようになると、ＲＲ個体が暖地や平坦地の大面積水田地帯へ移動する水平分布が問題になってくる。
【課題を解決するための手段】
【０００５】    成虫被害と産卵が認められ、まだ幼虫による被害が認められない薬剤抵抗性の兆しＳＲ期（優性遺伝の法則で死卵）に、生物的防除剤としての卵寄生蜂の野外大量増殖（初期ＳＲ個体群に対する寄生）を図り、イネドロオイムシ薬剤抵抗性個体群（ＲＲ）の出現を回避し、同一薬剤の連用下で、薬剤抵抗性ミツバチを保護する（＝薬剤のブロックローテーション回避）。    対象とする化学的防除剤の亜致死濃度下で出現した薬剤抵抗性個体（ＲＲ）の越冬後成虫が移植後の水田に野生型感受性個体群（ＳＳ）とともに侵入、それら成虫の掛け合わせ後の産下卵（ＳＲ）を確認した時点で、できるだけ早く卵寄生蜂による生物的防除と対象となる化学的防除剤の部分防除により、地域内の薬剤抵抗性個体予備軍（ＳＲ＋ＲＲ）の減少と対象薬剤に対する感受性をもった個体（ＳＳ）の割合の増加を図る。つまり、薬剤感受性Ｓと薬剤抵抗性Ｒのヘテロ卵のなかでも初期ＳＲ卵は薬剤抵抗性の進行程度により胚盤葉期以前の段階で発育を停止するので、亜致死濃度下での殺虫剤連続使用により出現した薬剤抵抗性ホモＲＲ♀個体とｗｉｌｄ  ｔｙｐｅ薬剤感受性ホモＳＳ♂個体が越冬直後に交尾・産下した未孵化卵の初期ＳＲ卵に卵寄生蜂の高度寄生を誘導し、ＳＲ同士の掛け合わせによりＲＲが分離する後期ＳＲ卵が出現する前に、薬剤抵抗性遺伝子ＳＲ対立遺伝子（Ａｌｌｅｌｅ）の段階で抵抗性遺伝子Ｒの侵入を遮断する。これにより、その後薬剤抵抗性個体ＲＲが暖地・平坦地の大面積栽培地へ水平移動してしまうのを阻止出来る。
【発明の効果】
【０００６】  薬剤抵抗性の発現を卵寄生蜂による生物的防除と化学的防除の部分防除（額縁処理）で阻止できる。  亜致死濃度で生き残った成虫が産下した卵は胚発生の初期発育段階で停止し（胚盤葉期停止：薬剤抵抗性発達の兆しであるＳＲ個体の最初の段階）、宿主卵が稲葉上に存在している間中、卵寄生蜂の寄生が可能であり、イネドロオイムシの産卵期間中、宿主卵塊群への産卵は累積し、卵寄生蜂の寄生率は非常に高いものとなる。次世代の卵寄生蜂は大量に発生し、卵寄生蜂を利用した生物的防除剤と化学的防除剤との同時防除により、地域内の薬剤感受性個体（ＳＲ）の減少が図られ、無防除区に感受性個体（ＳＳ）の増加が誘導される。これらの３年以上の継続により地域内で常に感受性個体群優勢の状態を作出し、卵寄生蜂の働きによりさらなる薬剤抵抗性の進行を停止し、ＲＲ個体群を壊滅し、温暖地・平地へのＲＲ個体の水平移動を阻止する。
【０００７】  高冷地や寒冷地の春では、気温変動が大きく、温度上昇により越冬後成虫が短期間に出現する頻度が高い地域があり、これらの地域では、イネドロオイムシ成虫が移植後２０〜３０日位に短期間に集中して出現する時期がある。その産卵直後に低温期が再来することが多いため、胚子は発育が遅延し、卵寄生蜂の寄生に好適な初期発育段階が続くことがある。このため、年次により卵寄生蜂の高度寄生が期待でき、大量の卵寄生蜂の採集が可能であり、生物的防除素材としての卵寄生蜂の増殖と利用に好都合である。  また、北海道の南岸太平洋側の寒冷地ではオホーツク海寒流の影響が大きく、気温の上昇が極めて緩やかであり、成虫の出現期間は長く、その発生盛期は北海道の稲作地帯では最も遅い。産卵期間は７月上旬まで長引くため、亜致死濃度下での薬剤抵抗性ホモ個体群（ＲＲ）が出現しやすい。これらの両地域では、化学的防除剤と生物的防除資材である卵寄生蜂を薬剤抵抗性の発現回避のために、特により効率的に活用することができる。
【図面の簡単な説明】
【０００８】
【図１】亜致死濃度下で処理されたイネドロオイムシ成虫産下卵に対するドロムシムクゲタマゴバチの寄生Ｆｉｇ．１  Ｐａｒａｓｉｔｉｓｍ  ｏｆ  Ａｎａｐｈｅｓ  ｎｉｐｐｏｎｉｃｕｓｆｏｒ  ｌａｉｄ  ｅｇｇｓ  ｂｙ  ｏｕｌｅｍａ  ｏｒｙｚａｅ  ａｄｕｌｔ  ｔｒｅａｔｅｄ  ｕｎｄｅｒ  ｓｕｂｌｅｔｈａｌ  ｔｏｘｉｃｉｔｙ．図１は亜致死濃度フィプロニル剤（Ｉｎｓｅｃｔ  Ｒｅｓｉｓｔａｎｃｅ  Ａｃｔｉｏｎ  Ｃｏｍｍｉｔｔｅｅ：ＩＲＡＣ−２Ｂに属する殺虫剤を６年継続施用）処理成虫の産下卵に対する卵寄生蜂の高度寄生の例であり、本発明の特許請求の請求項１に記載の胚発育の初期段階の卵と請求項２から３の初期発育段階で発育停止する卵に対する卵寄生蜂の累積的で重複的な高度寄生を示している。
【図２】亜致死濃度下で処理されたイネドロオイムシ成虫産下卵に対するドロムシムクゲタマゴバチの寄生率と孵化率の構成Ｆｉｇ．２  Ｐａｒａｓｉｔｉｓｍ  ｏｆ  Ａｎａｐｈｅｓ  ｎｉｐｐｏｎｉｃｕｓ  ＆Ｈａｔｃｈｅｄ  ｒａｔｅ  ｆｏｒ  ｌａｉｄ  ｅｇｇｓ  ｂｙ  Ｏｕｌｅｍａ  ｏｒｙｚａｅ  ａｄｕｌｔ  ｔｒｅａｔｅｄ  ｕｎｄｅｒ  Ｓｕｂｌｅｔｈａｌ  ｔｏｘｉｃｉｔｙ図２は他剤（ＩＲＡＣ−１４を十数年継続施用）の薬剤抵抗性がかなり進み、幼虫の孵化が認められ、残存する未孵化卵の卵内観察により多様な発育段階の胚子が存在し、卵寄生蜂による寄生がイネドロオイムシの飛来するタイミングで主に確認されたことを示すもの。
【符号の説明】
【０００９】    図  １    亜致死濃度下で処理されたイネドロオイムシ成虫産下卵に対するドロムシムクゲタマゴバチの寄生    Ｆｉｇ．１  Ｐａｒａｓｉｔｉｓｍ  ｏｆ  Ａｎａｐｈｅｓ  ｎｉｐｐｏｎｉｃｕｓ  ｆｏｒ  ｌａｉｄ  ｅｇｇｓ  ｂｙ  Ｏｕｌｅｍａ  ｏｒｙｚａｅ  ａｄｕｌｔ  ｔｒｅａｔｅｄ  ｕｎｄｅｒ  ｓｕｂｌｅｔｈａｌ  ｔｏｘｉｃｉｔｙ．    Ｙ軸  １００卵あたりのドロムシムクゲタマゴバチの羽化成虫数（数値）と未寄生未孵化卵率（％）、重複寄生卵率（％）          Ｎｕｍｂｅｒ  ｏｆ  Ａｎａｐｈｅｓ  ｎｉｐｐｏｎｉｃｕｓ  ａｄｕｌｔ  ｅｍｅｒｇｅｄ  ｐｅｒ  １００  ｅｇｇｓ  ａｎｄ  Ｄｅｓｔｒｕｃｔｅｄ  ｅｇｇ  ｒａｔｅ（％），Ｏｖｅｒｌａｐｐｅｄ  ｐａｒａｓｉｔｉｓｍ（％）    Ｘ軸  採集された日          Ｄａｙ  ｃｏｌｌｅｃｔｅｄ    凡例  上から順に        ・寄生されることのなかったイネドロオイムシの胚子発育不全卵率（％）          Ｏｕｌｅｍａ  ｏｒｙｚａｅ  ｄｅｓｔｒｕｃｔｅｄ  ｅｇｇ  ｎｏｔ  ｔｏ  ｂｅ  ｐａｒａｓｉｔｉｚｅｄ（％）        ・ドロムシムクゲタマゴバチの重複寄生卵率（％）          Ｏｖｅｒｌａｐｐｅｄ  ｐａｒａｓｉｔｉｓｍ  ｂｙ  Ａｎａｐｈｅｓ  ｎｉｐｐｏｎｉｃｕｓ（％）        ・１００卵当たりのドロムシムクゲタマゴバチの羽化成虫数（値）          Ｎｕｍｂｅｒ  ｏｆ  Ａｎａｐｈｅｓ  ｎｉｐｐｏｎｉｃｕｓ  ａｄｕｌｔ  ｅｍｅｒｇｅｄ  ｐｅｒ  １００  ｅｇｇｓ（ｖａｌｕｅ）
【図１】
0006667929.tif 000002
【図２】
0006667929.tif 000003